(57)【要約】【課題】複数の解析アプリケーションを保持することなく、複数の解析アプリケーション各々の出力結果を使用すること。【解決手段】本実施形態による医用画像処理装置は、特定の解析アプリケーションを有し、記憶部１１は、特定の解析アプリケーションと種類の異なる複数の解析アプリケーション各々で扱われる用語を前記特定のアプリケーションで扱う用語に変換するための辞書データを記憶する。解読部１４は、辞書データを参照することにより、解析アプリケーションにおいて、医用画像処理により発生された再現データを解読する。特定のアプリケーションは、解読された再現データに従って医用画像処理を再現し、医用画像のデータを発生する。【選択図】      図１
2015228921.tif 000002
【特許請求の範囲】
【請求項１】
特定の解析アプリケーションを有する医用画像処理装置において、
前記特定の解析アプリケーションと種類の異なる複数の解析アプリケーション各々で扱われる用語を前記特定のアプリケーションで扱う用語に変換するための辞書データを記憶する記憶部と、
前記辞書データを参照することにより、前記解析アプリケーションにおいて、医用画像処理により発生された再現データを解読する解読部と、
を具備し、
前記特定の解析アプリケーションは、前記解読された再現データに従って前記医用画像処理を再現し、医用画像のデータを発生すること、
を特徴とする医用画像処理装置。
【請求項２】
前記解読された再現データから、前記特定のアプリケーションが前記医用画像のデータを発生するために必要なデータを取得する取得部をさらに具備すること、
を特徴とする請求項１記載の医用画像処理装置。
【請求項３】
前記取得部は、前記解読された再現データから前記必要なデータを取得できなかったときに、前記医用画像処理前の画像データから取得すること、
を特徴とする請求項２記載の医用画像処理装置。
【請求項４】
前記特定のアプリケーションは、前記解読された再現データ及び前記画像データから前記必要なデータを取得できなかったときに、前記医用画像処理を再現できない旨をユーザに通知するためのメッセージを表示すること、
を特徴とする請求項３記載の医用画像処理装置。
【請求項５】
前記特定の解析アプリケーションにより発生される医用画像は、前記解析アプリケーションにより発生された医用画像と一致するまたは対応すること、
を特徴とする請求項１記載の医用画像処理装置。
【請求項６】
前記解読部は、解析アプリケーションの異なる複数の再現データを解読し、
前記特定の解析アプリケーションは、前記解読された複数の再現データに基づいて、同じ指標を有する複数の医用画像を発生すること、
を特徴とする請求項１記載の医用画像処理装置。
【発明の詳細な説明】
【技術分野】
【０００１】
本発明の実施形態は、医用画像処理装置に関する。
【背景技術】
【０００２】
複数のモダリティから得られた画像データを一同に表示するワークステーションやＰＡＣＳなどの装置がある。また、画像表示／解析ソフト等の解析アプリケーションにより解析過程を保存した復元データに基づいて、画像／操作状態を復元する（レジューム）技術がある。しかし、ワークステーションで復元データに基づいて、画像／操作状態を復元するためには、ワークステーションが、複数の解析アプリケーションにそれぞれ対応する複数の解析アルゴリズムを保持する必要がある。また、ワークステーションが、複数の解析アルゴリズムを保持していたとしても、各アプリケーションから出力される解析結果(数値、カラーマップｅｔｃ)の指標の違いや、各アプリケーション間の操作性の違い等により、ワークステーション上での画像の読影や解析結果の比較等が効率よくできない場合がある。
【発明の概要】
【発明が解決しようとする課題】
【０００３】
目的は、複数の解析アプリケーションのアルゴリズムを保持することなく、複数の解析アプリケーション各々の出力結果を利用することのできる医用画像処理装置を提供することにある。
【課題を解決するための手段】
【０００４】
本実施形態による医用画像処理装置は、特定の解析アプリケーションを有する医用画像処理装置において、前記特定の解析アプリケーションと種類の異なる複数の解析アプリケーション各々で扱われる用語を前記特定のアプリケーションで扱う用語に変換するための辞書データを記憶する記憶部と、前記辞書データを参照することにより、前記解析アプリケーションにおいて、医用画像処理により発生された再現データを解読する解読部と、を具備し、前記特定の解析アプリケーションは、前記解読された再現データに従って前記医用画像処理を再現し、医用画像のデータを発生すること、を特徴とする。
【図面の簡単な説明】
【０００５】
【図１】図１は、本実施形態に係る医用画像処理装置の構成の一例を示すブロック図である。
【図２】図２は、本実施形態に係る医用画像処理装置の保管部が記憶する辞書データの一例を示す図である。
【図３】図３は、本実施形態に係る医用画像処理装置の保管部が記憶する変換データの一例を示す図である。
【図４】図４は、解析機能設定画面の一例を示す図である。
【図５】図５は、本医用画像処理装置を用いた一連の処理の流れを説明するためのフローチャートである。
【図６】図６は、図５のステップＳ４の詳細を示した第１例のフローチャートである。
【図７】図７は、図５のステップＳ４の詳細を示した第２例のフローチャートである。
【図８】図８は、本実施形態に係る医用画像処理装置の再現機能により発生される再現画像を説明するための説明図である。
【図９Ａ】図９Ａは、本実施形態に係る医用画像処理装置が備える重畳画像発生機能の処理の具体例を示すフローチャートの一部分を示す図である。
【図９Ｂ】図９Ｂは、本実施形態に係る医用画像処理装置が備える重畳画像発生機能の処理の具体例を示すフローチャートの他の部分を示す図である。
【図１０】図１０は、図９のフローチャートにおいて、必要データが解読データから取得できる場合の処理工程を模式的に表した図である。
【図１１】図１１は、図９のフローチャートにおいて、必要データが解読データおよび画像データから取得できる場合の処理工程を模式的に表した図である。
【発明を実施するための形態】
【０００６】
以下、図面を参照しながら本実施形態に係る医用画像処理装置を説明する。なお、以下の説明において、略同一の機能及び構成を有する構成要素については、同一符号を付し、重複説明は必要な場合にのみ行う。
【０００７】
図１は、本実施形態に係る医用画像処理装置１の構成の一例を示すブロック図である。図１に示すように、本医用画像処理装置１は、送受信部１０、記憶部１１、保管部１２、入力部１３、解読部１４、取得部１５、実行部１６、表示部１７、及びシステム制御部１８を有する。
【０００８】
本医用画像処理装置１は、ＬＡＮ（Ｌｏｃａｌ  Ａｒｅａ  Ｎｅｔｗｏｒｋ）や公衆電子通信回線等のネットワークを介して、Ｘ線診断装置２１、超音波診断装置２２、ＭＲＩ２３、ＣＴ装置２４、医用画像解析装置２６、及びＰＡＣＳ２７（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ：医療画像情報システム）等の外部装置に接続される。
【０００９】
送受信部１０は、本医用画像処理装置１が外部装置とデータ通信を行うための通信インターフェースとして機能する。本医用画像処理装置１及び外部装置は、例えば、医用画像の標準規格であるＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に準拠した通信プロトコルで互いに通信する。
【００１０】
本医用画像処理装置１、Ｘ線診断装置２１、超音波診断装置２２、ＭＲＩ２３、及びＣＴ装置２４等は、解析アプリケーションを備える。以下、本医用画像処理装置１が備える解析アプリケーションを特定アプリケーション、特定アプリケーションと種類が異なる複数の解析アプリケーションを他の解析アプリケーション、特定アプリケーションと他の解析アプリケーションを併せて単に解析アプリケーションと呼ぶ。
【００１１】
他の解析アプリケーションは、入力された医用画像のデータに対して、部位（頭部、胸部、胃部など）および病名（脳梗塞、心筋梗塞、肺結節など）ごとに適した解析を行うための計算アプリケーションである。他の解析アプリケーションに入力されるデータは、解析対象のデータであり、例えば、３Ｄボリュームデータ等である。以下、他の解析アプリケーションに入力され、解析対象となるデータを初期入力データと呼ぶ。他の解析アプリケーションにより、初期入力データに対して医用画像処理が実行され、表示器に表示される画像のデータを最終画像データと呼ぶ。初期入力データと最終画像データとの間の、初期入力データに対して医用画像処理が実行された後のデータは、中間画像データである。中間画像データは、最終画像データを再現するための再現データでもあるため、以後、中間画像データを再現データと呼ぶ。再現データには、医用画像のデータ及び解析データ等が含まれる。
【００１２】
例えば、ＣＴ装置２４は、ＣＴ冠動脈解析アプリケーションを備える。ＣＴ冠動脈解析アプリケーションに入力されるデータ（初期入力データ）は、被検体に関する３Ｄボリュームデータである。ＣＴ冠動脈解析アプリケーションにより、３Ｄボリュームデータに対してＣＴ冠動脈解析が実行された結果、冠動脈を強調した冠動脈画像が表示される。したがって、最終画像のデータは、冠動脈画像のデータである。再現データは、ＣＴ冠動脈解析アプリケーションにより、３Ｄボリュームデータから、冠動脈画像のデータが発生されるまでの、中間画像である。例えば、再現データは、冠動脈の抽出データである。冠動脈の抽出データには、冠動脈の大きさ、形状が分かるデータ（冠動脈の座標情報等）が含まれる。なお、ＣＴ冠動脈解析アプリケーションにより発生される再現データには、例えば、心軸及び心筋輪郭等の座標情報、左心室、大動脈等の大きさ、形状が分かる情報（例えば、座標情報）等が含まれる。
【００１３】
また、超音波診断装置２２は、超音波心壁解析アプリケーションを備える。初期入力データは、超音波データ（例えば、Ｂモード画像、組織ドプラ情報）である。表示される最終画像は、組織毎に、組織毎の移動速度に応じた色情報を与えたカラー組織ドプラ画像等である。再現データは、心壁の解析データ、心臓領域（左心室等）の抽出データ等が該当する。
【００１４】
再現データは、対応する初期入力データ、最終画像データ、及び解析アプリケーションの情報とともに管理される。なお、解析は、医用画像解析専門の医用画像解析装置２６にて行われてもよい。また、再現データは、対応する最終画像データ、初期入力データと関連付けて、ＰＡＣＳ２７で管理されてもよい。再現データに対する、初期入力データ及び最終画像データの関連付けは、例えば、再現データに、解析アプリケーションを特定するためのメタ情報を付帯させることでできる。解析アプリケーションに関するメタ情報とは、例えば、ＰＡＣＳ２７における初期入力データ及び最終画像データの記憶アドレス情報及び解析情報（解析目的、解析アプリケーションの種類、及び解析日時等）等である。なお、再現データの付帯情報には、ＰＡＣＳ２７で管理されるための患者ＩＤ、検査ＩＤ，シリーズＩＤ等が含まれる。また、ＰＡＣＳ２７は、初期入力データを、再現データ及び最終画像データを関連付けて記憶してもよいし、最終画像データを、再現データ及び初期入力データを関連付けて記憶してもよい。
【００１５】
ＤＩＣＯＭには、ＤＩＣＯＭ通信により提供される様々な機能（サービスクラス）がある。Ｑｕｅｒｙ／Ｒｅｔｒｉｅｖｅ機能は、医用画像のデータの問い合わせ、検索、取得に関する機能である。例えば、本医用画像処理装置１は、最終画像データの取得要求を、外部装置に対して送信する。外部装置は、要求された最終画像データが保管されているかを検索する。要求された最終画像データがあれば、リストにして本医用画像処理装置１に対して送信する。本医用画像処理装置１は、受信したリストを後述の表示部１７に表示する。本医用画像処理装置１は、受信したリストからユーザにより選択され最終画像データの取得要求を、対応する外部装置に対して送信する。外部装置は、要求された最終画像データを初期入力データ、再現データとともに保管先から読み出し、本医用画像処理装置１に対して送信する。本医用画像処理装置１は、最終画像データを受信すると、受信が完了した旨を通知する信号を外部装置に対して送信する。以上のＱｕｅｒｙ／Ｒｅｔｒｉｅｖｅ機能により、本医用画像処理装置１は、外部装置から、該当する最終画像データを関連付けされた初期入力データ、再現データとともに取得する。取得されたこれらの画像データは、後述の記憶部１１に一時的に記憶される。
【００１６】
記憶部１１は、システム制御部１８（ＣＰＵなどのプロセッサー）が直接アクセスすることのできる１次記憶装置、及びシステム制御部１８に含まれるキャッシュメモリである。記憶部１１は、半導体素子によって構成されたメモリであり、例えば、１次記憶装置には、ＤＲＡＭ（Ｄｙｎａｍｉｃ  Ｒａｎｄｏｍ  Ａｃｃｅｓｓ  Ｍｅｍｏｒｙ）が用いられる。一方、キャッシュメモリには、ＳＲＡＭ（Ｓｔａｔｉｃ  Ｒａｎｄｏｍ  Ａｃｃｅｓｓ  Ｍｅｍｏｒｙ）が用いられる。記憶部１１は、システム制御部１８の制御に従って、医用画像処理装置１の各部がデータ処理を実行する扱うデータを一時的に記憶する。医用画像処理装置１で扱うデータとは、外部装置から受信した再現データ、再現データに対応する初期入力データ、及び本医用画像処理装置１で処理中のデータ等である。記憶部１１に一時的に記憶されたデータは、一定時間が経過したとき、または、記憶部１１に電源が供給されなくなったときに消失される。記憶部１１に一時的に記憶されたデータは、ユーザ指示に従って、適宜、後述の保管部１２に記憶させることもできる。
【００１７】
保管部１２は、２次（補助）記憶装置である。保管部１２は、ＨＤＤ（Ｈａｒｄ  Ｄｅｓｋ  Ｄｒｉｖｅ）等の磁気ディスク装置及びＦｌａｓｈ  ＳＳＤ（Ｓｏｌｉｄ  Ｓｔａｔｅ  Ｄｉｓｋ）等の半導体素子によって構成された半導体記憶装置である。保管部１２は、医用画像処理装置１で扱うデータを永続的に記憶する。したがって、ユーザにより指示されない限り、記憶データは保持される。なお、保管部１２の機能は、外部装置にあってもよい。保管部１２は、辞書データと変換データとを記憶する。  
辞書データは、本医用画像処理装置１が備える特定アプリケーションが、他の解析アプリケーション各々で発生された再現データを読解するための辞書である。  
辞書データは、特定アプリケーションで使用される複数の用語に対して、他の解析アプリケーション各々で扱われる用語を対応させたデータである。特定アプリケーション及び他の解析アプリケーションが同じ目的で使用されるアプリケーションであっても、特定アプリケーションが他の解析アプリケーションと異なるプログラミング言語でプログラムが書かれていれば、特定アプリケーションは、他の解析アプリケーションの再現データを読解できない場合がある。また、特定アプリケーション及び他の解析アプリケーションが同じ目的で使用され、同じプログラミング言語でプログラムが書かれていても、特定アプリケーションと他の解析アプリケーションとの間で定義されている変数の名称が異なれば、特定アプリケーションは、他の解析アプリケーションの再現データを読解できない場合がある。辞書データは、他の解析アプリケーション各々で扱われるプログラミング言語及び文字情報等の用語を、特定アプリケーションで扱う用語に変換するために用いられる。
【００１８】
図２は、本実施形態に係る医用画像処理装置１の保管部１２が記憶する辞書データの一例を示す図である。  
図２に示すように、辞書データは、特定アプリケーションで扱われる用語リストＬｔ１１に対して、解析アプリケーションＡで扱われる用語リストＬｔ１２及び解析アプリケーションＢで扱われる用語リストＬｔ１３をそれぞれ対応させた対応表のデータである。図２に示す対応表において、例えば、特定アプリケーションで扱われる文字情報「座標」は、解析アプリケーションＡで扱われる文字情報「Ｐｏｓｉｔｉｏｎ」及び、解析アプリケーションＢで扱われる文字情報「Ｐｏ」にそれぞれ対応する。これにより、特定アプリケーションは、解析アプリケーションＡの解析結果に「Ｐｏｓｉｔｉｏｎ」が含まれていても、読解することができる。
【００１９】
変換データは、複数の解析アプリケーション各々で定義されている座標系、単位、評価指標値等の数値情報を、特定アプリケーション用に変換するための変換表である。
【００２０】
図３は、本実施形態に係る医用画像処理装置１の保管部１２が記憶する変換データの一例を示す図である。  
図３に示すように、変換データは、特定アプリケーションで定義されている種々の情報に関するリストＬｔ２１に対して、解析アプリケーションＡで定義されている種々の情報に関するリストＬｔ２２及び解析アプリケーションＢで定義されている種々の情報に関するリストＬｔ２３をそれぞれ対応させた対応表のデータである。図３に示す対応表において、例えば、特定アプリケーションにおいて定義されている３Ｄ座標系（ｘ、ｙ、ｚ）は、解析アプリケーションＡで定義されている３Ｄ座標系（ａ、ｂ、ｃ）及び解析アプリケーションＢで定義されている３Ｄ座標系（Ｌ、Ｍ、Ｎ）にそれぞれ対応する。これにより、特定アプリケーションは、解析アプリケーションＡの再現データに座標情報が含まれていても、その座標を特定アプリケーション用の座標に変換することができる。
【００２１】
例えば、特定アプリケーションにおいて定義されている長さの定義「ｍ」は、解析アプリケーションＡで定義されている長さの定義「ｍｍ」及び解析アプリケーションＢで定義されている長さの定義「ｍ」にそれぞれ対応する。これにより、特定アプリケーションは、解析アプリケーションＡの再現データに長さ情報が含まれていても、その長さを表す数値を特定アプリケーション用の数値に変換することができる。
【００２２】
つまり、変換データは、特定アプリケーションで解析された結果を、ユーザが同じ指標で読影可能にするためのデータである。例えば、解析アプリケーションＡの再現データに基づいて特定アプリケーションにより発生された医用画像Ａと、解析アプリケーションＢの再現データに基づいて特定アプリケーションにより発生された医用画像Ｂとがある。例えば、特定アプリケーションＡと特定アプリケーションＢとの間で、座標の定義が異なれば、医用画像Ａで指定した位置を、医用画像Ｂから特定することが難しい。また、特定アプリケーションＡと特定アプリケーションＢとの間で、数値情報の定義が異なれば、医用画像Ａと医用画像Ｂとを単純に比較できない場合がある。医用画像Ａでは長さの定義が「ｃｍ」、医用画像Ｂで長さの定義が「ｍｍ」の場合、血管の分岐から分岐までの距離が医用画像Ａでは「２ｃｍ」と表記され、医用画像Ｂでは「２０ｍｍ」と表記される。これは、ユーザが数値を誤認識する可能性がある。そのため、他の解析アプリケーションで定義されている数値情報を、特定アプリケーション用の定義に変換することで、ユーザによる医用画像の読影効率が向上する。
【００２３】
保管部１２は、複数のプログラムのデータを記憶する。特定アプリケーションは、複数種類の解析機能を有する。複数のプログラムは、複数種類の解析機能にそれぞれ対応する。１つのプログラムには、複数の処理項目が含まれる。複数の処理項目各々には、その処理項目を実行するために必要なデータ（パラメータ）が規定されている。以下、解析機能を実行するために必要なパラメータ及び必要な画像のデータをまとめて必要データと呼ぶ。
【００２４】
入力部１３は、本医用画像処理装置１に対して、ユーザによる指示情報を入力するための、インターフェースとして機能する。入力部１３は、入力デバイスとして、マウス、キーボード、トラックボール、タッチパネル、及びスイッチ等を備える。指示情報とは、特定アプリケーションで実行する解析機能の指定、当該解析機能の実行に用いる他の解析アプリケーションにより発生された再現データ、初期入力データ、及び最終画像データの指示等である。これらの特定アプリケーションを実行するための指示情報は、解析機能入力画面上のユーザ操作により入力される。解析機能入力画面には、解析機能の名称がチェックボックスとともに一覧で表示される。ユーザは、所望の解析機能の名称に対応するチェックボックスにマウスを使ってカーソルを移動させる。そして、ユーザは、チェックボックスをクリックすることで、解析機能を入力することができる。ユーザは、解析機能に用いる解析結果及び初期入力データを指定し、解析機能入力画面にＤｒａｇ＆Ｄｒｏｐすることで、解析機能に用いる解析結果及び初期入力データを入力することができる。なお、解析機能入力画面を介して特定アプリケーションを実行するための指示情報の入力は、他の方法でおこなわれてもよい。
【００２５】
図４は、解析機能設定画面の一例を示す図である。
【００２６】
図４おいて、解析機能設定画面には、特定アプリケーションが有する複数の解析機能にそれぞれ対応する複数のテンプレート画像が配置されている。テンプレート画像Ｔ１〜Ｔ５は、対応する解析機能が実行された結果、表示される画像の一例をそれぞれ示している。ユーザは、解析機能設定画面上の複数のテンプレート画像を見て、得たい画像に対応する解析機能を指定することができる。例えば、ユーザが所望する解析機能が「ＳＰＥＣＴ  Ｐｅｒｆｕｓｉｏｎ」のとき、ユーザは、解析機能に用いる再現データ、初期入力データ、及び最終画像データを指定し、「ＳＰＥＣＴ  Ｐｅｒｆｕｓｉｏｎ」に対応するテンプレート画像Ｔ３上にＤｒｏｐすることで、解析機能「ＳＰＥＣＴ  Ｐｅｒｆｕｓｉｏｎ」及び、解析機能に用いる再現データ、初期入力データ、及び最終画像データの入力をすることができる。
【００２７】
解読部１４は、辞書データ及び変換データを参照することにより、他の解析アプリケーションにより発生された再現データを解読する。具体的には、解読部１４は、辞書データを検索し、再現データを発生した解析アプリケーションが登録されているかを特定する。辞書データに、再現データを発生した解析アプリケーションが登録されている場合は、その辞書データを参照して、再現データを解読する。一方、辞書データに、再現データを発生した解析アプリケーションが登録されていない場合は、再現データを解読できない旨をユーザに通知するための解読不可信号を表示部１７に送信する。
【００２８】
取得部１５は、解読部１４により解読された再現データ（以下、解読データと呼ぶ。）から、設定された解析機能の実行に必要な必要データを取得する。また、解読データから取得できなかった必要データを、初期入力データから取得する。必要データの取得方法としては、従来の種々の画像処理方法が適用される。例えば、初期入力データが心筋に関する３Ｄボリュームデータであり、必要データが、心筋の特定の断面像の領域情報である場合、取得部１５は、３Ｄボリュームデータに対してレンダリング処理を実行することにより、特定の断面画像のデータを得、特定の断面画像に対して閾値処理等の画像処理を実行することにより、特定の断面像の領域を抽出する。取得部１５は、解読データ及び初期入力データから取得された必要データを、実行部１６に対して送信する。
【００２９】
実行部１６は、設定された解析機能に応じたプログラムを保管部１２から読み出す。そして、取得部１５により取得された必要データに基づいて、読み出したプログラムを実行する。設定された解析機能を実行した結果のデータは、表示部１７に対して送信される。なお、必要データが不足したために、設定された解析機能の実行を完了できなかった場合において、実行部１６は、処理を完了できなかった旨を通知する信号とともに、途中結果のデータを表示部１７に対して送信する。このとき、実行部１６は、不足した必要データに関する情報を表示部１７に対して送信してもよい。
【００３０】
表示部１７は、実行部１６から送信された実行結果及び途中結果を表示する。途中結果が表示されるとき、表示部１７は、処理を完了できなかった旨を通知する信号に基づいて、解析機能の実行が完了されなかった旨をユーザに対して通知するための文字情報、例えば「処理途中結果です」等を表示する。このとき、表示部１７は、不足した必要データの情報、例えば「不足したデータは○○です」等を表示してもよい。また、表示部１７は、解析機能入力画面を表示する。また、表示部１７は、解読部１４から送信された解読不可信号に基づいて、再現データを解読できない旨をユーザに対して通知するための文字情報、例えば「解読できませんでした」等を表示する。
【００３１】
システム制御部１８は、ＣＰＵ（Ｃｅｎｔｒａｌ  Ｐｒｏｃｅｓｓｉｎｇ  Ｕｎｉｔ）とメモリ回路等を有する。システム制御部１８は、入力部１３から入力された情報を受け取り、一時的にメモリ回路に入力情報を記憶する。そして、システム制御部１８は、この入力情報に基づいて本医用画像処理装置１の各部を制御する。
【００３２】
以下、図５を参照して本医用画像処理装置１を用いた一連の処理の流れを説明する。  
図５は、本医用画像処理装置１を用いた一連の処理の流れを説明するためのフローチャートである。
【００３３】
（ステップＳ１）解析機能を設定
ユーザ指示に従って特定アプリケーションが起動される。入力部１３を介したユーザ操作に従って入力された解析機能を設定する。解析機能に対応するプログラムがシステム制御部１８により読み出される。読み出されたプログラムに対応する必要データが取得部１５により特定される。
【００３４】
（ステップＳ２）解析機能に使用するデータを設定
入力部１３を介したユーザ指示に従って入力された、再現データ、初期入力データ、及び最終画像データがシステム制御部１８により設定される。なお、ここでは、再現データ、初期入力データ、及び最終画像データが設定されるとしているが、少なくとも再現データまたは最終画像データが設定されればよい。
【００３５】
（ステップＳ３）再現データの解読
解読部１４により、辞書データ及び変換データを参照して、再現データ（及び最終画像データ）が解読される。
【００３６】
（ステップＳ４）必要データの取得
取得部１５により、設定された解析機能の実行に必要なデータ（必要データ）が、解読データ及び初期入力データから取得される。
【００３７】
（ステップＳ５）解析機能の実行
取得した必要データに基づいて、実行部１６により、設定された解析機能が実行される。
【００３８】
（ステップＳ６）実行結果を表示
解析機能を実行した実行結果が表示部１７に表示される。
【００３９】
以下、図６を参照して、ステップＳ４を詳細に説明する。  
図６は、図５のステップＳ４の詳細を示した第１例のフローチャートである。  
（ステップ４１）解読データに必要データが含まれるかの判定  
取得部１５により、解読データから必要データを取得できるかが判定される。解読データに検索中の必要データが含まれる場合は、ステップＳ４２に処理が移行される。含まれない場合は、ステップＳ４３に処理が移行される。
【００４０】
（ステップ４２）解読データから必要データを取得  
取得部１５により、解読データから必要データが取得される。
【００４１】
（ステップ４３）初期入力データから必要データを取得  
取得部１５により、初期入力データから必要データが取得される。
【００４２】
（ステップ４４）必要データの検索が完了したかの判定  
検索が完了するまで、ステップＳ４１からステップＳ４３までの処理が繰り返し実行される。取得部１５による必要データの検索及び取得が完了された場合は、図５のステップＳ５に処理が移行される。
【００４３】
なお、図６では、必要データが解読データまたは初期入力データから取得可能であることを前提としている。しかしながら、必要データが解読データ及び初期入力データから取得できない場合もある。その場合は、図７のような処理の流れとなる。
【００４４】
図７は、図５のステップＳ４の詳細を示した第２例のフローチャートである。
【００４５】
（ステップ４１）解読データに必要データが含まれるかの判定  
取得部１５により、解読データから必要データを取得できるかが判定される。解読データに検索中の必要データが含まれる場合は、ステップＳ４２に処理が移行される。含まれない場合は、ステップＳ４３に処理が移行される。
【００４６】
（ステップ４２）解読データから必要データを取得  
取得部１５により、解読データから必要データが取得される。
【００４７】
（ステップ４３ａ）初期入力データから必要データを取得できるかの判定  
取得部１５により、解析結果に対応する初期入力データから、検索中の必要データが取得できるかが判定される。初期入力データから検索中の必要データを取得できる場合は、ステップＳ４３ｂに処理が移行される。取得できない場合はステップＳ４４に処理が移行される。
【００４８】
（ステップ４３ｂ）初期入力データから必要データを取得  
取得部１５により、初期入力データから必要データが取得される。
【００４９】
（ステップ４４）必要データの検索が完了したかの判定  
検索が完了するまで、ステップＳ４１、ステップＳ４２、ステップＳ４３ａ、及びステップ４３ｂの処理が繰り返し実行される。取得部１５による必要データの検索が完了された場合は、図５のステップＳ５に処理が移行される。
【００５０】
次に、本医用画像処理装置１の特定アプリケーションに含まれる複数種類の解析機能について説明する。複数種類の解析機能は、本医用画像処理装置１の解読部１４が、辞書データ及び変換データを用いて、他のアプリケーションにより発生された再現データを解読できることにより実現される。
【００５１】
特定アプリケーションに含まれる複数種類の解析機能には、再現機能及び重畳画像発生機能が含まれる。  
再現機能は、他の解析アプリケーションにより得られた最終画像データを、再現データに基づいて、本医用画像処理装置１で再現する機能である。ここでの、最終画像データの再現とは、特定アプリケーションが、他の解析アプリケーションで発生された最終画像と一致する画像を発生することを指すだけではない。最終画像データの再現とは、特定アプリケーションが、他の解析アプリケーションにより発生された最終画像に対応する画像を発生することも指す。最終画像に対応する画像とは、他のアプリケーションの定義に従って表現された最終画像を、特定アプリケーションの定義に従って表現した画像である。したがって、最終画像に対応する画像は、最終画像に対して、例えば、座標の定義、数値の単位、及びカラー表現等が変更されている画像である。再現機能により発生される画像を再現画像と呼ぶ。
【００５２】
図８は、本実施形態に係る医用画像処理装置１の再現機能により発生される再現画像を説明するための説明図である。冠動脈画像ＰＡ１及び冠動脈画像ＰＢ２は、第１のＣＴ冠動脈解析アプリケーション及び第２のＣＴ冠動脈解析アプリケーションによりそれぞれ発生された最終画像である。第１のＣＴ冠動脈解析アプリケーション及び第２のＣＴ冠動脈解析アプリケーションは、それぞれ同じ目的のための解析アプリケーションであるが、例えば、提供する会社が異なる解析アプリケーションである。
【００５３】
冠動脈画像ＰＡ１には、冠動脈ＣＯ１とカラーバーＢＡ１が、第１のＣＴ冠動脈解析アプリケーションのレイアウトに従って配置されている。カラーバーＢＡ１は、ＣＴ値の大きさに応じた色情報を表している。カラーバーＢＡ１において、ＣＴ値の最小値はβ、最大値はαで定義されている。冠動脈ＣＯ１は、カラーバーＢＡ１に従って、カラー表示されている。冠動脈ＣＯ１の向きは、第１のＣＴ冠動脈解析アプリケーションで定義されている座標系に対応している。同様に、冠動脈画像ＰＢ２には、冠動脈ＣＯ２とカラーバーＢＡ２が、第２のＣＴ冠動脈解析アプリケーションのレイアウトに従って配置されている。カラーバーＢＡ２は、ＣＴ値の大きさに応じた色情報を表している。カラーバーＢＡ２において、ＣＴ値の最小値はζ、最大値はηで定義されている。冠動脈ＣＯ２は、カラーバーＢＡ２に従って、カラー表示されている。冠動脈ＣＯ２の向きは、第２のＣＴ冠動脈解析アプリケーションで定義されている座標系に対応している。
【００５４】
冠動脈画像ＰＥ１及び冠動脈画像ＰＥ２は、特定アプリケーションの再現機能により、冠動脈画像ＰＡ１に対応する再現データ及び冠動脈画像ＰＢ２に対応する再現データに基づいて、冠動脈画像ＰＡ１及び冠動脈画像ＰＢ２をそれぞれ再現した画像である。冠動脈画像ＰＥ１（以下、再現画像ＰＥ１と呼ぶ。）には、冠動脈ＣＯ３とカラーバーＢＡ３が、特定アプリケーションのレイアウトに従って配置されている。カラーバーＢＡ３は、ＣＴ値の大きさに応じた色情報を表している。カラーバーＢＡ３において、ＣＴ値の最小値はθ、最大値はφで定義されている。冠動脈ＣＯ３は、カラーバーＢＡ３に従って、カラー表示されている。冠動脈ＣＯ３の向きは、特定のアプリケーションで定義されている座標系に対応している。同様に、冠動脈画像ＰＥ２（以下、再現画像ＰＥ２と呼ぶ。）には、冠動脈ＣＯ４とカラーバーＢＡ４が、特定アプリケーションのレイアウトに従って配置されている。カラーバーＢＡ４は、ＣＴ値の大きさに応じた色情報を表している。カラーバーＢＡ４において、ＣＴ値の最小値はθ、最大値はφで定義されている。冠動脈ＣＯ４は、カラーバーＢＡ４に従って、カラー表示されている。冠動脈ＣＯ４の向きは、特定のアプリケーションで定義されている座標系に対応している。
【００５５】
例えば、医用画像処理装置１で、同一被検体に関して、撮影日が異なる冠動脈画像ＰＡ１と冠動脈画像ＰＢ２とを比較読影する。このとき、図８に示すように、冠動脈画像ＰＡ１と冠動脈画像ＰＢ２との間の、表示レイアウトが異なる、カラーバーの定義（最小値と最大値の定義）が異なる、色の割り当て方が異なる等の要因により、読影医は、冠動脈画像ＰＡ１と冠動脈画像ＰＢ２とを単純に比較して読影することができない。
【００５６】
また、第１のＣＴ冠動脈解析アプリケーションと第２のＣＴ冠動脈解析アプリケーションとを備える医用画像処理装置で冠動脈画像ＰＡ１と冠動脈画像ＰＢ２とを比較読影する。このとき、冠動脈画像ＰＡ１は、第１のＣＴ冠動脈解析アプリケーションによりモニタに表示され、冠動脈画像ＰＢ２は、第２のＣＴ冠動脈解析アプリケーションによりモニタに表示される。したがって、第１のＣＴ冠動脈解析アプリケーションと第２のＣＴ冠動脈解析アプリケーションとの間に関係性がなければ、冠動脈画像ＰＡ１と冠動脈画像ＰＢ２との間にも関係性がない。そのため、モニタに表示された冠動脈画像ＰＡ１及び冠動脈画像ＰＢ２を連動させて回転させたり、連動させてカラーバーの定義を変更することができない。読影医は、画像の回転、カラーバーの変更等をする場合、冠動脈画像ＰＡ１及び冠動脈画像ＰＢ２を、それぞれ独立して操作しなければならない。
【００５７】
一方、例えば、同一被検体に関して、撮影日の異なる冠動脈画像ＰＡ１と冠動脈画像ＰＢ２とにそれぞれ対応する再現画像ＰＥ１と再現画像ＰＥ２とを比較読影する。再現画像ＰＥ１は、第１のＣＴ冠動脈解析アプリケーションの定義に従って表現された冠動脈画像ＰＡ１を、特定アプリケーションの定義に従って表現した画像である。同様に、再現画像ＰＥ２は、第２のＣＴ冠動脈解析アプリケーションの定義に従って表現された冠動脈画像ＰＢ２を、特定アプリケーションの定義に従って表現した画像である。したがって、再現画像ＰＥ１及び再現画像ＰＥ２は、冠動脈画像ＰＡ１及び冠動脈画像ＰＢ２とそれぞれ臨床上同じ画像である。再現画像ＰＥ１及び再現画像ＰＥ２は、それぞれ特定アプリケーションの定義に従って表現されているため、再現画像ＰＥ１と再現画像ＰＥ２との間の、表示レイアウト、カラーバーの定義（最小値と最大値の定義）、及び色の割り当て方は同じである。したがって、読影医は、モニタに表示された再現画像ＰＥ１及び再現画像ＰＥ２を単純に比較して読影でき、同じ操作性で操作することができる。
【００５８】
さらに、特定アプリケーションは、同一被検体に関する再現画像ＰＥ１及び再現画像ＰＥ２を、互いに関連付けできる。関連付けは、例えば、再現画像、再現データ、及び最終画像等に含まれる患者情報等に従って行われる。患者情報には、例えば、患者を示すＩＤ、患者名等の情報が含まれる。なお、再現画像ＰＥ１及び再現画像ＰＥ２の関連付けは、入力部１３を介した読影医の操作に従って行われてもよい。また、再現画像ＰＥ１及び再現画像ＰＥ２の関連付けは、特定アプリケーションにより、冠動脈ＣＯ３と冠動脈ＣＯ４とを、冠動脈ＣＯ３及び冠動脈ＣＯ４にそれぞれ含まれる特徴点の位置に従って位置整合させることにより行われてもよい。これにより、特定アプリケーションは、一方の再現画像におけるカラーバーの変更に応じて、他方の再現画像におけるカラーバーを変更することができる。また、特定アプリケーションは、一方の再現画像における冠動脈の回転に応じて、他方の再現画像における冠動脈を回転させることができる。
【００５９】
以上記載したように、本医用画像処理装置１の再現機能により、互いに関連性がなく、表示レイアウト、操作性、座標、指標値等の定義が異なる複数の医用画像にそれぞれ対応する複数の再現画像を発生することができる。複数の再現画像は、互いに同じ定義に従って表わされる。これにより、読影医による読影効率が向上する。
【００６０】
重畳画像発生機能は、複数の解析アプリケーションによりそれぞれ発生された複数の再現データに基づいて、重畳画像を発生する機能である。なお、重畳画像発生機能において、初期入力データが利用されてもよい。  
本医用画像処理装置１の重畳画像発生機能の具体例について図９、図１０、及び図１１を参照して説明する。  
図９は、本実施形態に係る医用画像処理装置１が備える重畳画像発生機能の処理の具体例を示すフローチャートである。具体例では、必要データは、解読データまたは初期入力データから取得できることを前提とする。
【００６１】
図９Ａは、本実施形態に係る医用画像処理装置１が備える重畳画像発生機能の処理の具体例を示すフローチャートの一部分を示す図である。  
図９Ｂは、本実施形態に係る医用画像処理装置１が備える重畳画像発生機能の処理の具体例を示すフローチャートの他の部分を示す図である。  
図１０は、図９のフローチャートにおいて、必要データが解読データから取得できる場合の処理工程を模式的に表した図である。
【００６２】
ユーザにより入力された解析機能として「ＳＰＥＣＴ  Ｐｏｌａｒ  Ｍａｐ上へのＣＴ冠動脈投影表示」が設定される（ステップＳ１）。そして、設定された解析機能に対応するプログラムに従って、取得部１５により必要データが特定される。必要データは「（１）ＣＴ冠動脈の領域情報」、「（２）ＣＴ心軸座標」、及び「（３）ＳＰＥＣＴ  Ｐｏｌａｒ  Ｍａｐ画像（ＳＰＥＣＴ虚血解析結果画像）」とする。
【００６３】
解析機能に使用するデータＩｎ＿ｄが入力される（ステップＳ２）。データＩｎ＿ｄには、再現データと初期入力データとが含まれる。再現データは、ＣＴ冠動脈解析結果ＣＴ＿ｒ及びＳＰＥＣＴ虚血解析結果ＰＴ＿ｒのデータである。ＣＴ冠動脈解析結果ＣＴ＿ｒは、ＣＴ冠動脈解析アプリケーションにより発生される。また、ＳＰＥＣＴ虚血解析結果ＰＴ＿ｒは、ＳＰＥＣＴ虚血解析アプリケーションにより発生される。初期入力データは、ＣＴ画像ＣＴ＿ｄ及びＳＰＥＣＴ画像ＰＴ＿ｄである。なお、再現データＣＴ＿ｒは、初期入力データＣＴ＿ｄに基づいて、解析アプリケーションＡのＣＴ冠動脈解析ａｐＡが実行された結果である。また、再現データＰＴ＿ｒは、初期入力データＰＴ＿ｄに基づいて、解析アプリケーションＢのＳＰＥＣＴ虚血解析ａｐＢが実行された結果である。
【００６４】
解読部１４により、再現データＣＴ＿ｒ及び再現データＰＴ＿ｒが解読される（ステップＳ３）。そして、取得部１５により、必要データが解読データから取得される（ステップＳ４）。具体的には、再現データＣＴ＿ｒから、ＣＴ冠動脈の領域情報Ｄｃ１及びＣＴ心軸座標Ｄｃ２が取得される。また、再現データＰＴ＿ｒから、ＳＰＥＣＴ  Ｐｏｌａｒ  Ｍａｐ画像のデータＤｐ１が取得される。ＳＰＥＣＴ  Ｐｏｌａｒ  Ｍａｐ画像のデータＤｐ１は、心軸周りの角度のデータと、心尖部または心基部からの距離（スライス番号）のデータと、心筋ＳＰＥＣＴ値のデータとを対応させたデータである。取得された必要データは、実行部１６に対して送信される。
【００６５】
実行部１６により、ＳＰＥＣＴ  Ｐｏｌａｒ  Ｍａｐ画像上でのＣＴ冠動脈投影表示に係る処理が実行される（ステップＳ５ａ及びステップＳ５ｂ）。具体的には、実行部１６により、ＣＴ冠動脈の領域情報Ｄｃ１及びＣＴ心軸座標Ｄｃ２に基づいて、ＣＴ冠動脈の領域を心軸方向から投影した投影画像のデータＤｃ３が発生される（ステップＳ５ａ）。そして、実行部１６により、ＳＰＥＣＴ  Ｐｏｌａｒ  Ｍａｐ画像Ｄｐ１に対して、投影画像のデータＤｃ３を位置整合して重ねた重畳画像Ｄｃｐが発生される（ステップＳ５ｂ）。重畳画像Ｄｃｐは、表示部１７に表示される（ステップＳ６）。
【００６６】
図１１は、図９のフローチャートにおいて、必要データが解読データおよび画像データから取得できる場合の処理工程を模式的に表した図である。図１１では、必要データの「ＣＴ心軸座標」が初期入力データから取得可能であるものとする。
【００６７】
ユーザにより入力された解析機能として「ＳＰＥＣＴ  Ｐｏｌａｒ  Ｍａｐ上へのＣＴ冠動脈投影表示」が設定される（ステップＳ１）。そして、設定された解析機能に対応するプログラムに従って、取得部１５により必要データが特定される。必要データは「（１）ＣＴ冠動脈の領域情報」、「（２）ＣＴ心軸座標」、及び「（３）ＳＰＥＣＴ  Ｐｏｌａｒ  Ｍａｐ画像（ＳＰＥＣＴ虚血解析結果画像）」とする。
【００６８】
解析機能に使用するデータＩｎ＿ｄが入力される（ステップＳ２）。データＩｎ＿ｄには、再現データと初期入力データとが含まれる。再現データは、ＣＴ冠動脈解析結果ＣＴ＿ｒ及びＳＰＥＣＴ虚血解析結果ＰＴ＿ｒのデータである。初期入力データは、ＣＴ画像ＣＴ＿ｄ及びＳＰＥＣＴ画像ＰＴ＿ｄである。なお、再現データＣＴ＿ｒは、初期入力データＣＴ＿ｄに基づいて、解析アプリケーションＡのＣＴ冠動脈解析ａｐＡが実行された結果である。また、再現データＰＴ＿ｒは、初期入力データＰＴ＿ｄに基づいて、解析アプリケーションＢのＳＰＥＣＴ虚血解析ａｐＢが実行された結果である。
【００６９】
解読部１４により、再現データＣＴ＿ｒ及び再現データＰＴ＿ｒが解読される（ステップＳ３）。取得部１５により、必要データの検索が解読データを対象に開始される（ステップＳ４１）。取得部１５により、再現データＣＴ＿ｒから、ＣＴ冠動脈の領域情報Ｄｃ１が取得され、再現データＰＴ＿ｒから、ＳＰＥＣＴ  Ｐｏｌａｒ  Ｍａｐ画像のデータＤｐ１が取得される（ステップＳ４２）。一方、ＣＴ心軸座標は、再現データＣＴ＿ｒに含まれない、または、含まれていたが解読できなかったため、取得部１５により初期入力データＣＴ＿ｄからＣＴ心軸座標Ｄｃ２が取得される（ステップＳ４３）。取得部１５により取得された必要データは、実行部１６に対して送信される。
【００７０】
実行部１６により、ＳＰＥＣＴ  Ｐｏｌａｒ  Ｍａｐ画像上でのＣＴ冠動脈投影表示に係る処理が実行される（ステップＳ５ａ及びステップＳ５ｂ）。具体的には、実行部１６により、ＣＴ冠動脈の領域情報Ｄｃ１及びＣＴ心軸座標Ｄｃ２に基づいて、ＣＴ冠動脈の領域を心軸方向から投影した投影画像のデータＤｃ３が発生される（ステップＳ５ａ）。そして、実行部１６により、ＳＰＥＣＴ  Ｐｏｌａｒ  Ｍａｐ画像Ｄｐ１に対して、投影画像のデータＤｃ３を位置整合して重ねた重畳画像Ｄｃｐが発生される（ステップＳ５ｂ）。重畳画像Ｄｃｐは、表示部１７に表示される（ステップＳ６）。
【００７１】
図９から図１１で説明したように、重畳画像Ｄｃｐは、ＳＰＥＣＴ  Ｐｏｌａｒ  Ｍａｐ画像Ｄｐ１に対して、投影画像Ｄｃ３を重ねた画像である。ＳＰＥＣＴ  Ｐｏｌａｒ  Ｍａｐ画像Ｄｐ１は、ＳＰＥＣＴ虚血解析アプリケーションにより出力されたデータ（再現データ及び初期入力データ）に基づいて、発生された画像である。投影画像Ｄｃ３は、ＣＴ冠動脈解析アプリケーションにより出力されたデータ（再現データ及び初期入力データ）に基づいて発生された画像である。しかし、ＳＰＥＣＴ  Ｐｏｌａｒ  Ｍａｐ画像Ｄｐ１及び投影画像Ｄｃ３は、特定アプリケーションの定義に対応している。そのため、読影医は、同じ操作性で重畳画像を読影することができる。また、定義が統一された重畳画像Ｄｃｐは、他の解析アプリケーション（例えば、ＣＴ冠動脈解析アプリケーション及びＳＰＥＣＴ虚血解析アプリケーション）では発生できない画像である。そのため、本医用画像処理装置１の重畳画像発生機能により、他の解析アプリケーションの出力データを利用して、他の解析アプリケーションでは発生できない、臨床上有用な画像を得ることができる。
【００７２】
なお、図９から図１１で説明した例において、必要データは、解読データまたは初期入力データから取得できることを前提としている。必要データが、解読データまたは初期入力データから取得不可の場合、本医用画像処理装置１は、以下のような処理を行う。
【００７３】
例えば、表示部１７は、実行部１６から送信された途中結果を表示する。途中結果が表示されるとき、表示部１７は、処理を完了できなかった旨を通知する信号に基づいて、解析機能の実行が完了されなかった旨をユーザに対して通知するための文字情報、例えば「処理途中結果です」等を表示する。このとき、表示部１７は、不足した必要データの情報、例えば「不足したデータは○○です」等を表示してもよい。また、表示部１７は、解析機能入力画面を表示する。また、表示部１７は、解読部１４から送信された解読不可信号に基づいて、再現データを解読できない旨をユーザに対して通知するための文字情報、例えば「解読できませんでした」等を表示する。
【００７４】
以上に述べた本実施形態に係る医用画像処理装置１によれば、以下の効果を得ることができる。本医用画像処理装置１は、本医用画像処理装置１が備える特定アプリケーションが、他の解析アプリケーション各々で発生された再現データを読解するための辞書データを保持する。特定アプリケーションには複数種類の解析機能が含まれる。また、本医用画像処理装置１は、他の解析アプリケーションで定義されている座標系、単位、評価指標値等の数値情報を、特定アプリケーション用に変換するための変換データを保持する。本医用画像処理装置１は、辞書データ及び変換データを保持することにより、他の解析アプリケーションにより発生された再現データを解読し、複数種類の解析機能の実行に必要なデータを、解読した再現データから取得することができる。これにより、本医用画像処理装置１は、他の解析アプリケーションのアルゴリズムを保持することなく、他の解析アプリケーションの出力結果を利用できる。また、本医用画像処理装置１は、複数種類の解析機能の実行に必要なデータの取得過程において、まず、解読データから必要データを取得し、解読データから取得できなかった必要データを初期入力データから取得する。つまり、他の解析アプリケーションにより発生された出力結果（再現データ及び初期入力データ）を有効に利用できるため、計算資源を節約することができる。
【００７５】
また、本医用画像処理装置１は、辞書データ及び変換データを保持することにより、再現機能及び重畳画像発生機能を実行できる。本医用画像処理装置１は、再現機能により、互いに関連性がなく、表示レイアウト、操作性、座標、指標値等の定義が異なる複数の医用画像にそれぞれ対応する複数の再現画像を発生することができる。複数の再現画像は、互いに同じ定義に従って表わされる。これにより、読影医による読影効率が向上する。また、本医用画像処理装置１は、重畳画像発生機能により、複数の解析アプリケーションにそれぞれ対応する複数の出力データ（初期入力データ及び再現データ）を利用して、当該複数の解析アプリケーション各々において発生できない、臨床上有用な重畳画像を得ることができる。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。
【符号の説明】
【００７７】
１…医用画像処理装置、１０…送受信部、１１…記憶部、１２…保管部、１３…入力部、１４…解読部、１５…取得部、１６…実行部、１７…表示部、１８…システム制御部、２１…Ｘ線診断装置、２２…超音波診断装置、２３…ＭＲＩ、２４…ＣＴ装置、２６…医用画像解析装置、２７…ＰＡＣＳ。
【図１】
2015228921.tif 000003
【図２】
2015228921.tif 000004
【図３】
2015228921.tif 000005
【図４】
2015228921.tif 000006
【図５】
2015228921.tif 000007
【図６】
2015228921.tif 000008
【図７】
2015228921.tif 000009
【図９Ａ】
2015228921.tif 000010
【図９Ｂ】
2015228921.tif 000011
【図８】
2015228921.tif 000012
【図１０】
2015228921.tif 000013
【図１１】
2015228921.tif 000014